【手続補正書】
【提出日】平成23年11月18日(2011.11.18)
【手続補正１】
【補正対象書類名】特許請求の範囲
【補正対象項目名】全文
【補正方法】変更
【補正の内容】
【特許請求の範囲】
【請求項１】
画像形成装置で生成した画像データを、所定の通信プロトコルに従ってネットワーク上の複数の情報端末装置の少なくとも１つに送信する処理モードを有する画像形成システムにおいて、
前記情報端末装置は、
前記画像形成装置から受信する動作開始要求のコマンドに応答して前記情報端末装置の利用者識別情報と前記画像形成装置に画像データを生成させる動作の開始命令を含むコマンドを生成し、前記画像形成装置に発行する第一のコマンド発行手段を有し、
前記画像形成装置は、
前記処理モードを指定するモード指定手段と、
前記複数の情報端末装置の利用者識別情報を取得する取得手段と、
前記取得手段が取得した情報を表示する表示手段と、
前記表示手段に表示された前記複数の情報端末装置の情報の中から、生成した画像データを送信する情報端末装置を選択する選択手段と、
前記選択手段により選択された情報端末装置に、前記動作開始要求のコマンドを発行する第二のコマンド発行手段と、
前記情報端末装置から受信したコマンドに含まれる動作の開始命令に従って生成した画像データを前記選択手段で選択された情報端末装置に送信する送信手段とを有し、
前記取得手段は、前記モード指定手段により処理モードが指定された後であって、かつ前記選択手段により情報端末装置が選択されるより前に、前記動作開始要求のコマンドを前記複数の前記情報端末装置に発行することで、前記複数の情報端末装置の第一のコマンド発行手段から発行されるコマンドを受信して前記情報端末装置の利用者識別情報を取得することを特徴とする画像形成システム。
【請求項２】
前記利用者識別情報は、情報端末装置にログオンしているログオンユーザー名であることを特徴とする請求項１に記載の画像形成システム。
【請求項３】
前記取得手段が前記複数の情報端末装置に対して送信する動作開始要求のコマンドは、前記第二のコマンド発行手段が発行する動作開始要求のコマンドと同一のコマンドである事を特徴とする、前記請求項１乃至２項に記載の画像処理システム。
【請求項４】
前記画像形成装置は更に、前記取得手段が動作開始要求のコマンドを送信した前記複数の情報端末装置に対して、画像形成装置の動作開始の拒否を示すコマンドを発行する第三のコマンド発行手段を有することを特徴とする前記請求項１乃至２いずれか１項に記載の画像形成システム。
【請求項５】
前記取得手段によって取得された利用者識別情報を保存する保存手段を更に有し、
前記第二のコマンド発行手段により発行された動作開始要求のコマンドに応答して前記情報端末装置から前記画像形成装置に発行されるコマンドから取得した利用者識別情報と前記保存手段に保存された利用者識別情報とを比較する比較手段を更に有し、利用者識別情報が異なる情報端末装置が存在する場合に、
前記表示手段は前記第二のコマンド発行手段により取得された利用者識別情報で表示を更新することを特徴とする請求項１に記載の画像形成システム。
【請求項６】
前記表示手段は、前記比較手段の結果が利用者識別情報が異なる情報端末装置が存在する場合に、前記選択手段で選択された情報処理装置に生成した画像データを送信する処理を継続するか否かを問い合わせる表示をおこなうことを特徴とする請求項５に記載の画像形成システム。
【請求項７】
生成した画像データを、所定の通信プロトコルに従ってネットワーク上の複数の情報端末装置の少なくとも１つに送信する処理モードを有する画像形成装置の制御方法において、
前記処理モードを指定するモード指定工程と、
前記情報端末装置に、前記情報端末装置の利用者識別情報と前記画像形成装置に画像データを生成させる動作の開始命令を含むコマンドを生成させて前記画像形成装置に発行させる動作開始要求コマンドを発行するコマンド発行工程と、
前記コマンド発行工程に応答して複数の情報端末装置が発行する前記コマンドを受信して前記複数の情報端末装置の利用者識別情報を取得する取得工程と、
前記取得手段が取得した情報を表示手段に表示する表示工程と、
前記選択工程により選択された情報端末装置に前記動作開始要求コマンドを発行し、前記選択された情報端末装置から受信したコマンドに含まれる動作の開始命令に従って生成した画像データを、前記選択された情報端末装置に送信する送信工程とを有することを特徴とする画像形成装置の制御方法。
【請求項８】
生成した画像データを、所定の通信プロトコルに従ってネットワーク上の複数の情報端末装置の少なくとも１つに送信する処理モードを有する画像形成装置において、
前記処理モードを指定するモード指定手段と、
前記情報端末装置に、前記情報端末装置の利用者識別情報と前記画像形成装置に画像データを生成させる動作の開始命令を含むコマンドを生成させて前記画像形成装置に発行させる動作開始要求コマンドを発行するコマンド発行手段と、
前記複数の情報端末装置が発行する前記コマンドを受信して前記複数の情報端末装置の利用者識別情報を取得する取得手段と、
前記取得手段が取得した情報を表示手段に表示する表示手段と、
前記表示手段に表示された前記複数の情報端末装置の情報の中から生成した画像データを送信する情報端末装置を選択する選択手段と、
前記選択手段により選択された情報端末装置に前記動作開始要求コマンドを発行し、前記選択された情報端末装置から受信したコマンドに含まれる動作の開始命令に従って生成した画像データを前記選択された情報端末装置に送信する送信手段とを有することを特徴とする画像形成装置。
【手続補正２】
【補正対象書類名】明細書
【補正対象項目名】発明の名称
【補正方法】変更
【補正の内容】
【発明の名称】画像形成システム、画像形成装置の制御方法、および画像形成装置
【手続補正３】
【補正対象書類名】明細書
【補正対象項目名】００１３
【補正方法】変更
【補正の内容】
【００１３】
このような課題を解決するために本発明の画像形成システムは、画像形成装置で生成した画像データを、所定の通信プロトコルに従ってネットワーク上の複数の情報端末装置の少なくとも１つに送信する処理モードを有し、前記情報端末装置は、前記画像形成装置から受信する動作開始要求のコマンドに応答して前記情報端末装置の利用者識別情報と前記画像形成装置に画像データを生成させる動作の開始命令を含むコマンドを生成し、前記画像形成装置に発行する第一のコマンド発行手段を有し、前記画像形成装置は、前記処理モードを指定するモード指定手段と、前記複数の情報端末装置の利用者識別情報を取得する取得手段と、前記取得手段が取得した情報を表示する表示手段と、前記表示手段に表示された前記複数の情報端末装置の情報の中から、生成した画像データを送信する情報端末装置を選択する選択手段と、前記選択手段により選択された情報端末装置に、前記動作開始要求のコマンドを発行する第二のコマンド発行手段と、前記情報端末装置から受信したコマンドに含まれる動作の開始命令に従って生成した画像データを前記選択手段で選択された情報端末装置に送信する送信手段とを有し、前記取得手段は、前記モード指定手段により処理モードが指定された後であって、かつ前記選択手段により情報端末装置が選択されるより前に、前記動作開始要求のコマンドを前記複数の前記情報端末装置に発行することで、前記複数の情報端末装置の第一のコマンド発行手段から発行されるコマンドを受信して前記情報端末装置の利用者識別情報を取得することを特徴とする。
【手続補正４】
【補正対象書類名】明細書
【補正対象項目名】００１４
【補正方法】変更
【補正の内容】
【００１４】
本発明の画像形成装置の制御方法は更に、生成した画像データを、所定の通信プロトコルに従ってネットワーク上の複数の情報端末装置の少なくとも１つに送信する処理モードを有し、前記処理モードを指定するモード指定工程と、前記情報端末装置に、前記情報端末装置の利用者識別情報と前記画像形成装置に画像データを生成させる動作の開始命令を含むコマンドを生成させて前記画像形成装置に発行させる動作開始要求コマンドを発行するコマンド発行工程と、前記コマンド発行工程に応答して複数の情報端末装置が発行する前記コマンドを受信して前記複数の情報端末装置の利用者識別情報を取得する取得工程と、前記取得手段が取得した情報を表示手段に表示する表示工程と、前記表示手段に表示された前記複数の情報端末装置の情報の中から生成した画像データを送信する情報端末装置を選択する選択工程と前記選択工程により選択された情報端末装置に前記動作開始要求コマンドを発行し、前記選択された情報端末装置から受信したコマンドに含まれる動作の開始命令に従って生成した画像データを、前記選択された情報端末装置に送信する送信工程とを有することを特徴とする。
【手続補正５】
【補正対象書類名】明細書
【補正対象項目名】００１５
【補正方法】変更
【補正の内容】
【００１５】
本発明の画像形成装置は更に、所定の通信プロトコルに従ってネットワーク上の複数の情報端末装置の少なくとも１つに送信する処理モードを有し、前記処理モードを指定するモード指定手段と、前記情報端末装置に、前記情報端末装置の利用者識別情報と前記画像形成装置に画像データを生成させる動作の開始命令を含むコマンドを生成させて前記画像形成装置に発行させる動作開始要求コマンドを発行するコマンド発行手段と、前記複数の情報端末装置が発行する前記コマンドを受信して前記複数の情報端末装置の利用者識別情報を取得する取得手段と、前記取得手段が取得した情報を表示手段に表示する表示手段と、前記表示手段に表示された前記複数の情報端末装置の情報の中から生成した画像データを送信する情報端末装置を選択する選択手段と、前記選択手段により選択された情報端末装置に前記動作開始要求コマンドを発行し、前記選択された情報端末装置から受信したコマンドに含まれる動作の開始命令に従って生成した画像データを前記選択された情報端末装置に送信する送信手段とを有することを特徴とする。